(57)【要約】【課題】ごみ箱に向かってごみを投げ入れるときでも，ごみ箱の周辺にごみが散乱するのを防止する．【解決手段】ごみ箱用アタッチメント５０は，ごみ箱に取り付けて使用するためのアタッチメントであって，円弧状の基部５２と，基部５２の上端から外側に張り出した受け部５４とを有し，平面視における受け部５４の外側輪郭は，基部５２に対して接線をなすか当該接線と平行で，かつ，互いに角度αをなす少なくとも２辺５０ａを含んでいる．【選択図】図８
2018062423.tif 000002
【特許請求の範囲】
【請求項１】
ごみ箱に取り付けて使用するためのアタッチメントであって，
円弧状の基部と，
前記基部の上端から外側に張り出した受け部と
を有し，平面視における前記受け部の外側輪郭は，前記基部に対して接線をなすか当該接線と平行で，かつ，互いに角度をなす少なくとも２辺を含む，ごみ箱用アタッチメント．
【請求項２】
前記受け部は前記基部から斜め上方に向かって延在する請求項１のごみ箱用アタッチメント．
【請求項３】
前記基部の上端から半径方向外側に延在する座面を設けた請求項１又は２のごみ箱用アタッチメント．
【請求項４】
前記受け部の外周から立ち上がった衝立を有する請求項１，２又は３のごみ箱用アタッチメント．
【請求項５】
前記衝立は前記受け部に対して着脱自在である請求項４のごみ箱用アタッチメント．
【請求項６】
前記衝立を多層構造とし，層間のすきまをポケットとした請求項４又は５のごみ箱用アタッチメント．
【請求項７】
平面視における前記受け部の外側輪郭は，互いに約９０度の角度をなす２辺を含む，請求項１から６のいずれか１項のごみ箱用アタッチメント．
【請求項８】
平面視における前記受け部の外側輪郭は，隣り合う辺が互いに約９０度の角度をなす３辺を有する，請求項７のごみ箱用アタッチメント．
【発明の詳細な説明】
【技術分野】
【０００１】  この発明は，ごみ箱に取り付けて使用するごみ箱用アタッチメントに関する．
【背景技術】
【０００２】  従来のごみ箱は，一般に，円筒形や角柱形の有底筒状で，上面が開口してごみの投入口となっている．この投入口は内部のごみの排出口ともなる．【０００３】  特許文献１には，投入口の後部を高くして，ごみを投げ入れやすくしたごみ箱が記載されている．【０００４】  特許文献２には，投入口の後部を高くするため，ごみ箱に取り付ける板すなわちダストキャッチボードが記載されている．ダストキャッチボードがごみを受け止め，ごみ箱の中に落とすというものである．
【先行技術文献】
【特許文献】
【０００５】
【特許文献１】実開平６−３３８０５号公報
【特許文献２】実開平６−３３８０６号公報
【特許文献３】実開平２−１４９６０１号公報
【発明の概要】
【発明が解決しようとする課題】
【０００６】  特許文献１，２に記載されたごみ箱は，投入口の後部が高くなって，ごみを投げ入れるときの受け板ないし案内板となる．また，標的を描いておくことによりゲーム感覚をもたせることができる．【０００７】  しかしながら，ごみをごみ箱に向けて投げても，うまくごみ箱に入らなかったときはその周辺にごみが散乱してしまう．特許文献１，２のように，後部の背を高くするだけでは，依然，ごみ箱の背後に至ったごみは散乱してしまう．
ごみ箱が円筒形であることから，壁際においた場合でも，図４（Ｂ）に矢印で示すように壁面との間に比較的大きなすきまができてしまうため，投入口に入らなかったごみは，このすきまからごみ箱と壁面との間に落下し，ごみ箱の周囲に散乱することとなる．【０００８】  なお，特許文献３に記載されたごみすべり案内用障壁壁付きゴミ箱は，障壁を伝ってごみがごみ箱の開口部に入るようにしたもので，ごみ箱本体の開口の縁を上方に延長する障壁を一体的につくりつけている．しかし，とくに円筒形状のごみ箱の場合には，障壁は逆円すい台形状となるため，依然，壁面との間のすきまは不可避である．【０００９】  この発明の課題は，ごみ箱に向かってごみを投げ入れるときでも，ごみ箱の周辺にごみが散乱するのを防止することにあり，したがって，その用に供するごみ箱用アタッチメントを提供することにある．
【課題を解決するための手段】
【００１０】  この発明は，ごみ箱に取り付けることにより，ごみ箱を壁際に置いたとき，ごみ箱と壁面との間のすきまを少なくするアタッチメントを提供する．すなわち，この発明のごみ箱用アタッチメントは，丸型ごみ箱に取り付けて使用するためのアタッチメントであって，円弧状の基部と，前記基部の上端から外側に張り出した受け部とを有し，平面視における前記受け部の輪郭は，前記基部に対して接線をなすか当該接線と平行で，かつ，互いに角度をなす少なくとも２辺を含む．【００１１】  上記２辺の基部に対する位置関係は，受け部が基部から外側にせり出す量による．すなわち，張り出し量が少ないときは，２辺は基部に対しておおむね接線をなす．張り出し量が多くなると，２辺は基部から離れるため接線とは呼べなくなり，接線と平行な関係となる．そして，受け部は，基部と上記２辺とで囲まれた領域を占める．【００１２】  受け部は，基部の上端から外側に延在するというとき，少なくとも，受け部が水平に延在する場合と，基部の上端から斜め上方に延びている場合と，一旦水平に張り出してその後斜め上方に延びる場合とが含まれる．また，基部の上端から斜め上方に延びる場合には，下面に，基部の上端から水平に延在する座面を形成した場合も含まれる．【００１３】  受け部は，基部よりも外側に張り出しているため，基部をごみ箱の開口の内側に配置したとき，受け部の下端縁がごみ箱の開口縁に当たり，それ以上の沈み込みを防ぐ（ストッパ機能）．このとき，基部の弾発力すなわち，円弧状の基部が拡径しようとする力を利用して，ごみ箱の内周に張り付かせる．円弧状の基部だけでは比較的容易に縮径（弾性変形）し得るところ，アタッチメントの周方向全長にわたって連続した受け部が存在することにより，基部の弾性変形を抑制することができる．もちろん，受け部の外周に立壁を設けた場合にはそれによる補強も加わる．基部を周方向で分断した場合でも，受け部が基部の縮径方向の弾性変形を抑制する作用は維持されるため，基部に拡径方向の力を適度に維持させ，ごみ箱の内周に添った姿勢を自己保持させることができる．【００１４】  このように，基部の弾発力と，上記ストッパ機能とが相まって，アタッチメントをごみ箱の開口に自己保持させることができる．もちろん，これに代えて，あるいは加えて，接着材，粘着剤，テープ，面ファスナー，スライドファスナー，凹凸係合，クリップその他の手段を採用することも可能である．なお，当該アタッチメントは，基部の拡縮（弾性変形）を利用することにより，標準サイズのごみ箱のみならず，多少のサイズ違いのごみ箱にも使用することができる．そして，上に述べたように，受け部が水平に延在する場合のほか基部の上端から水平に延在する座面を設けた場合，基部がごみ箱の開口より小径であってもアタッチメントの座りがよく，安定した姿勢を維持することができる．【００１５】  アタッチメントをごみ箱に取り付けた状態で，受け部が基部の，したがってごみ箱の，平面視外形を越えて延在するため，次のような作用がある．すなわち，アタッチメントを取り付けた丸型のごみ箱を部屋の隅（コーナー）に置いたとき，ごみ箱と壁との間のすきまがなくなるか，少なくとも当該アタッチメントを使用しない場合に比べて格段に小さくなる．したがって，離れたところからごみ箱に向かってごみを放り投げても，ごみ箱の背後や横のすきまに落下してしまうといった不具合を極力防止することができる．【００１６】  部屋の隅（コーナー）は約９０度になっている場合が一般的であることから，受け部の輪郭を構成する２辺がなす角度αは約９０度とするのが実際的であるが，多少鋭角になったり鈍角になったりしていても，上記作用を実質的に奏し得る範囲であればよい．もちろん受け部の一辺を壁面に添わせて配置することも可能である．【００１７】  また，ごみ箱内にごみ袋を装着する場合，アタッチメントをごみ袋止めとして使用することができる．すなわち，ごみ袋の上端部分をごみ箱の縁に沿って外側に折り返し，その上からアタッチメントを取り付けることにより，ごみ袋をごみ箱とアタッチメントとの間に挟み込む．そうすると，ごみ袋がごみ箱から外れたり，ごみ袋の端が落ち込んで口が閉じてしまったり，といった不具合を防止することができる．２個一組のアタッチメントを向かい合わせに使用することもできる．その場合，ごみ箱の開口のほぼ全周にわたってごみ袋を止めることができるばかりでなく，ごみ袋の端が見えなくなるので美観上も優れる．【００１８】  さらに，アタッチメントの表面（前面／背面）を利用して種々の表示を行うことができる．たとえば，カレンダーや動植物，人物，アニメのキャラクター，建物，風景等々を表示することにより，ごみ箱自体はもちろんごみ箱を含めた周辺の美観の向上に寄与する．また，販促用のノベルティとして頒布するために，それに適した文字や記号等々を表示するようにしてもよい．あるいは，標的を描いておき，それを目がけてごみを投げ入れるようにするといった使用方法も可能である．かかる効果は，受け部の外周に衝立を付加したり，あるいは受け部の外周から適当な高さの立壁を立ち上がらせたりすることによって，表示面積が拡大するため，一層確実に達成することができる．
【発明の効果】
【００１９】  この発明のごみ箱用アタッチメントを使用することにより，ごみ箱にごみを投げ入れるときでも，ごみがほぼ確実にごみ箱の投入口に案内され，ごみ箱の周辺にごみが散乱するのを防止することができる．【００２０】  すなわち，ごみ箱を部屋の隅においたとき，受け部の輪郭を形成する少なくとも２辺が壁面に添い，両者間のすきまがなくなるか，少なくともこのアタッチメントを使用しない場合と比べて格段に小さくなる．したがって，ごみ箱に向かってごみを放り投げたときでも，従来のように壁との間のすきまに落下してごみ箱の背後や周囲に散乱するということが少なくなる．【００２１】  また，ごみ箱にごみ袋を装着する場合，当該アタッチメントをごみ袋止めとして利用することができる．すなわち，ごみ袋の上部を折り返してごみ箱の開口部に被せ，そこにアタッチメントを取り付けることで，ごみ箱とアタッチメントの基部との間にごみ袋を挟み込んで固定することができる．さらに，アタッチメントを２個１組で使用することにより，ごみ箱の開口（投入口）の全周にわたってごみ袋を止めることができ，しかもごみ袋の端が見えなくなるため美観もアップする．
【図面の簡単な説明】
【００２２】
【図１】発明の実施の形態を説明するための斜視図である．
【図２】アタッチメントの斜視図である．
【図３】アタッチメントの基部の断面図であって，（Ａ）は実施例，（Ｂ）は別の実施例を示す．
【図４】部屋の隅に置いたごみ箱の平面略図であって，（Ａ）は実施例，（Ｂ）は比較例を示す．
【図５】（Ａ）は背板を設けた実施例を示す断面図，（Ｂ）は凹凸係合部の拡大断面図である．
【図６】（Ａ）は前面側にポケットを設けたアタッチメントの断面斜視図，（Ｂ）は図６（Ａ）の白抜き矢印で示す向きから見た端面図である．
【図７】（Ａ）は図６（Ａ）と類似の断面斜視図であって，アタッチメントの前面側及び背面側にポケットを設けた例を示し，（Ｂ）はアタッチメントと壁面材の基部部分の拡大断面図である．
【図８】別の実施例を示し，（Ａ）は正面図，（Ｂ）は平面図，（Ｃ）は斜視図である．
【図９】（Ａ）から（Ｅ）はアタッチメントの部分断面図である．
【図１０】別の実施例を示し，（Ａ）は平面図，（Ｂ）は斜視図である．
【図１１】図８の実施例と図１０の実施例の関係を説明するための略図である．
【図１２】２個一組で使用する例を示し，（Ａ）は図８の実施例の場合，（Ｂ）は図１０の実施例の場合である．
【発明を実施するための形態】
【００２３】  以下，添付図面に従ってこの発明の実施の形態を説明する．
【００２４】  図１は，ごみ箱１０にアタッチメント１６を取り付ける要領を模式的に示したものである．
【００２５】  ごみ箱１０は丸型である．ここで，丸型とは，有底筒型で，上部に丸い開口（投入口）１２を持ったものであればよく，円筒形状のほか，下方に向かって先細となった逆円すい台形状でもよい．また，断面も真円形状のほか楕円形状のものも含まれる．
【００２６】  アタッチメント１６は，図２に示すように，基部１８と，受け部２０とからなる．
【００２７】  基部１８は，ごみ箱１０の開口（投入口）１２に差し込んで取り付けるための部分である．丸型のごみ箱１０の開口１２に無理なく差し込むことができるように，基部１８は湾曲しているのが好ましい．また，それ自体の弾発力でごみ箱に対して自己保持することができるように，拡開方向の弾発力を備えていてもよい．
【００２８】  アタッチメント１６は，大きさ（開口径）の異なるごみ箱に対応することができるように，基部が拡径，縮径し得る程度の可撓性を有するのが好ましい．図２は，稜線２２の延長線付近に切欠き又はスリットを設けて基部１８を周方向で分断し，基部１８の変形を容易にした例である．
【００２９】  図３（Ａ）に示すように，基部１８の縦断面は階段状で，端縁側の小径部１８ａと，大径部１８ｃと，両者間の段差部１８ｂとからなる．小径部１８ａをごみ箱１０の開口１２に差し込むと，段差部１８ｂがごみ箱１０の開口１２の縁１４に当たって止まる．小径部１８ａの外壁面とごみ箱１０の内壁面との間に両面テープや接着剤層等を設けるようにしてもよい．大径部１８ｃは移行部１８ｄ（図２参照）を介して受け部２０と接続する．移行部１８ｄは，ごみ箱の開口に対応して略円弧状に弾性変形する基部１８と，より曲率の小さい形状を維持する受け部２０との間に位置して両者を無理なく接続する．
【００３０】  図３（Ｂ）に示すように，大径部１８ｃから小径部１８ａにかけて垂下した爪２４を設けてもよい．この爪２４は，ごみ箱１０の開口１２の縁１４に引っ掛ける．すなわち，アタッチメント１６をごみ箱１０に取り付けた状態で，小径部１８ａと爪２４とで，ごみ箱１０の縁１４を内外両側から挟み，ごみ箱１０に対するアタッチメント１６の保持を補強する．互いに独立した複数の爪２４を円周方向に分散配置するほか，円周方向に連続した爪２４を形成してもよい．
【００３１】  爪２４は，図示するようにアタッチメント１６と一体的に形成するほか，別体のものを取り付けるようにしてもよい．たとえば，図５（Ａ）は，爪２４に代えて，アタッチメント１６とは別体の背板２８を設けた例である．背板２８は短冊状で，アタッチメント１６の基部１８に沿って，より詳しくは小径部１８ａから大径部１８ｃにかけて，配置してある．したがって，背板２８は，アタッチメント１６の腰を強くし，したがって，アタッチメント１６のごみ箱１０に対する保持力を高める，といった作用をする．背板２８は，また，爪２４と同様に，アタッチメント１６との間にごみ箱１０の縁１４を挟み込み，ごみ箱１０に対するアタッチメント１６の保持力を高める．
【００３２】  さらに，背板２８は，凹凸係合により，アタッチメント１６に対して着脱自在としてある．たとえば，図５（Ｂ）に示すように，アタッチメント１６に凸部２６，背板２８に凹部３０を設ける．そして，凸部２６と凹部３０をスナップ係合させることにより，アタッチメント１６と背板２８を一体化させ，凸部２６と凹部３０を引き離すことにより，アタッチメント１６と背板２８を分離させることができる．なお，図５（Ｂ）はいわゆるホック類似の凹凸係合の形態を例示したにすぎず，凹凸係合というときは他の種々形態も含まれるものとする．
【００３３】  凹凸係合部の数や配置は任意であるが，一例を挙げるならば，背板２８の長さ方向の２箇所以上に設けるとよい．一般に，凹凸形状部の数が増すと，強度面では有利である反面，着脱の際の手間が増えるという問題がある．凸部と凹部の具体的な形状は，図示するような円筒形状のほか，レゴブロックのような構成を採用してもよい．また，凹凸係合に代えて，あるいは，それに加えて，スライドファスナー，面ファスナー，両面テープ，接着剤，その他の類似の手段を採用することもできる．
【００３４】  背板２８はアタッチメント１６に対して着脱自在であるため，両者１６，２８間にごみ袋３２の開口縁部を挟み込んで保持することができる．ごみ袋３２内のごみは，ごみ袋３２をアタッチメント１６から取り外すことなくごみだけを捨てることもできるが，ごみ袋３２ごと捨てるときは，アタッチメント１６から背板２８を取り外すだけで，アタッチメント１６とごみ袋３２を分離することができる．また，アタッチメント１６はある程度の保形性があるため，いわゆる「ちりとり」のように使用することもできる．
【００３５】  アタッチメント１６の受け部２０は，ごみ箱に向かって投げたごみを受け止めて投入口１２に誘導する働きをする部分である．ここで，誘導とは，具体的には，１）受け部２０よりも上方に達して壁を伝って落ちてくるごみを投入口１２に誘導する，２）受け部２０に当たったごみを投入口１２に向けて跳ね返す，といったような作用を意味する．
【００３６】  受け部２０は，図２からわかるように，基部１８の大径部１８ｂから上方に立ち上がり，かつ，外側に反っている．受け部２０は，投入口１２側を向いた面を前面，その反対側を背面と呼ぶならば，上下方向に走る稜線２２に沿って，背面は山折り，前面は谷折りとなっている．前面と背面は，それぞれ，稜線部分で会合する２面で構成され，その２面がなす角度を図４（Ａ）に符号αで示してある．なお，図２において符号２２で指してあるのは厳密には稜線ではなく谷線と呼ぶべきで，その裏側が稜線となるべきところであるが，ここでは山側も谷側も区別することなく稜線と呼ぶこととする．
【００３７】  角度αの一例としては，約９０度を挙げることができる．アタッチメントを取り付けたごみ箱を部屋の隅に置いたとき，壁面との間のすきまをなくすることができるからである．もっとも，９０度から多少ずれていてもよい．投げ入れるごみは，丸めた紙屑が典型例であるように，ある程度嵩のあるものであるため，壁面との間に多少のすきまがあっても許容できる．
【００３８】  述べたように受け部２０の前面が角度αをなす２面で形成されているため，各面に当たったごみはいずれも投入口１２に向かって跳ね返され，ごみ箱１０内部に誘導されることとなる．
【００３９】  アタッチメント１６を構成する材料はある程度の可撓性を有するのが好ましい．合成樹脂で成型するのが量産に向く製造方法であるが，紙や木材，金属その他の適当な材料を選択して採用することができる．
【００４０】  受け部２０を稜線部分２２で折曲自在としてもよく，その場合，たとえば製造段階や保管，運搬の過程では平坦に展開させた状態（α≒１８０°）とし，使用に際して折り曲げる（α≒９０°）といった仕様が可能となる．
【００４１】  図６（Ａ）に，ポケット３４ａを設けたアタッチメント１６の実施例を示す．ここで，符号１６ａ，１６ｂは，それぞれ，アタッチメント１６の前面側及び背面側を表している．アタッチメント１６の前面側とは，ごみ箱１０（図１）に取り付けた状態でごみ箱１０の開口すなわち投入口１２側を意味し，アタッチメント１６の背面側とは，ごみ箱１０に取り付けた状態で投入口１２側の反対側を意味する．ポケット３４ａの構造の具体例を挙げるならば次のとおりである．なお，図はスケールフリーであって．とりわけ板厚やすきまは誇張して示してある．
【００４２】  ポケット３４ａに関しては，アタッチメント１６本体と壁面材３６ａとで２層構造を形成し，両者間のすきまをポケットとする．壁面材３６ａは，たとえば，アタッチメント１６本体と同形で，アタッチメント１６本体よりも薄く，それでいてある程度の強度を備えたシート状の材料を用いることができる．そして，紙などをポケット３４ａに出し入れすることができるように，開口３８ａを設ける．このような用途を考慮するならば，壁面材３６ａは透明とするのが好ましい．もちろん，透明か不透明かに関係なく，壁面材３６ａに窓穴（図示せず）を設けてその窓穴からポケット３４ａの内側が見えるようにしてもよい．窓穴は，文字通りの穴に限らず，その部分だけ透明にしたようなものも含まれる．
【００４３】  ポケット３４ａに，たとえば，広告宣伝や販売促進用の印刷物，種々の文字や図形等を印刷した紙やプラスチックのシート等々を挿入することができ，そうすることにより，アタッチメントをいわゆるノベルティとして配布するなどの利用法も可能となる．
【００４４】  開口３８ａは，アタッチメント１６本体と壁面材３６ａとの非接合部分に相当する．言い換えれば，壁面材３６ａは，当該開口部分を除いて，アタッチメント１６本体と接合する．接合の手段としては，加熱圧着や融着，接着等々，適当な手段を採用することができる．なお，アタッチメント１６の基部１８と受け部２０との間に段差（段差部１８ｂ）がある場合，ポケット３４ａに挿入した紙などの下端を当該段差部分で受け止めるため，アタッチメント１６と壁面材３６ａの下端縁は必ずしも接合するには及ばない．
壁面材３６ａは，アタッチメント１６とでもって２層構造を形成するほか，アタッチメント１６の補強材としても役立つ．開口３８ａを設けるべき位置は特に問わないが，通常は壁面材３６ａの上端縁もしくは下端縁または側縁に設ける．あるいは，中央部の稜線２２に沿う位置に切れ込み状の開口を設けてもよい．
【００４５】  アタッチメント１６は，図１に示すように単体の場合のほか，図６に示すように壁面材３６ａとでもっていわば広義のアタッチメントを構成する場合があるため，ここでは，後者の場合には単体のものをアタッチメント１６本体と呼んで区別するようにしている．
【００４６】  ポケット３４ａの内壁面は必ずしも平滑である必要はなく，凹凸を設けてもよい．たとえば，図６（Ｂ）に示すように，平面視が波形状の凹凸すなわち，アタッチメント１６をごみ箱１０に装着した状態で上下方向に伸びる凹凸を設けてもよい．そうすることによって，旗や花などを挿して装飾性をもたせることができる．そのような内壁面の凹凸は，内壁面自体に加工を施すほか，別の波板４０を追加してもよい．さらに，その波板４０は，ポケット３４ａの内壁面を提供する部材（１６，３６ａ）と接合してもよく，あるいは，ポケット３４ａに出し入れ可能とすることもできる．内壁面間に波板４０を介在させた多層構造はあたかも段ボールのような断面となることから，段ボール類似の補強作用を発揮する．図６（Ｂ）は凹凸形状の一例としての波形状を示したものであるが，図示するような丸波に限らず角波や三角波であってもよく，さらに，波の間隔（ピッチ）も等ピッチ，不等ピッチを問わない．
【００４７】  ポケットは，アタッチメント１６の前面側若しくは背面側又は両側に設けることもできる．アタッチメント１６の両側にポケット３４ａ，３４ｂを設けた実施例を図７に示す．前面側のポケット３４ａに関しては図６（Ａ）を参照して上で述べたところと実質的に同じであることから，ここでは背面側のポケット３４ｂについて述べる．図７に示した例では，アタッチメント１６の背面側に壁面材３６ｂを配置することによって２層構造を形成している．そして，アタッチメント１６本体と壁面材３６ｂとの間のすきまをポケット３４ｂとして利用する．このポケット３４ｂは，たとえば，印刷物を挿入したり，ごみ袋を折り畳んで収納したりするのに利用できる．開口や窓穴に関しては，前面側のポケット３４ａに関連して述べたところがここでも当てはまる．２層構造を形成する点や，アタッチメントの補強材としても役立つといった点も同様である．
【００４８】  図示した例では，壁面材３６ｂは背板２８と一体的である．すなわち，壁面材３６ｂは，背板２８の上端縁から上方に向かって伸び，アタッチメント１６の上端縁まで連続した１枚のシート状を呈している．そして，背板２８は，凹凸係合部（３０，２６）等を利用することにより，アタッチメント１６に対して着脱自在としてあることから，壁面材３６ｂ部分もアタッチメント１６に対して着脱自在である．
【００４９】  図５に関連して上に述べた実施例では，凹凸係合部（３０，２６）は背板２８をアタッチメント１６に対して着脱自在に固定するためのものであったが，ここでは，さらに，壁面材３６ｂの固定並びにごみ袋３２の止着の役割を果たす．すなわち，凹凸係合部（３０，２６）を利用することにより，背板２８と一緒に壁面材３６ｂも，アタッチメント１６に対して着脱自在に固定することができる．また，ごみ袋３２の端をアタッチメント１６と背板２８との間に挟み込むとともに凹凸係合部（３０，２６）によって止着し，ごみ袋３２を整然と装着することができる．ごみ袋３２が大形で背板の上方まで伸び出した部分がある場合でも，背板２８の上方に連続した壁面材３６ｂが存在するため外部からごみ袋３２の端が見えにくく，外観を損なうおそれが少ない．図６（Ａ）及び図７で，一点鎖線はごみ袋を表し，二点鎖線はごみ箱１０を表している．
【００５０】  図６及び図７の実施例では，アタッチメント１６の前面側若しくは背面側又は両側に各１のポケットを設けたが，各側につき，３層以上の多層構造にして２以上のポケットを設けることもできる．多層構造とすることにより，ポケットの数が増えるだけでなく，アタッチメント全体の強度がアップする．
【００５１】  また，アタッチメントの上端面は，必ずしも面一（図６（Ａ）参照）とする必要はない．たとえば図７に示すように階段状にずらしてもよい．そうすることによって，開口３８ａ．３８ｂの縁に段差ができて，開口の位置がわかりやすくなり，開口を広げやすくもなるため，紙などの出し入れが容易になる．
【００５２】  アタッチメント１６の基部１８に関しては，たとえばアタッチメント１６と壁面材３６ａからなる２層構造の場合（図６（Ａ）参照），下端縁と両端縁では両者を互いに接合せず，下向きに開放させてもよい．その場合，たとえば，ごみ袋の縁を収納するスペースとして利用することができ，ごみ袋の縁がごみ箱の内側に落ち込んだり，外側にだらしなくはみ出したりするのを防止するのに役立つ．壁面材３６ａの，基部１８に対応する裾野部分を，図７（Ｂ）に破線で示すように，ごみ箱１０の開口１２の内径側へ向けて弾性変形させることによって，ごみ袋の縁を挟み込む，あるいは，たくし込むようにしてもよい．そのために，壁面材３６ａの一部，たとえば稜線２２の延長線上に切れ込み又は切り欠き（図２参照）を設けて可撓性を付与し，ごみ箱１０の開口１２の内径側への変形を許容するようにしてもよい．
【００５３】  次に，図８に示す実施例について説明する．
【００５４】  この実施例のアタッチメント５０は，図示するように，基部５２と受け部５４を備えている．基部５２は，ごみ箱１０（図１）の開口１２の内側に添わせるための円弧状の部分である．図示例では基部５２の周方向の一部にスリット５２ａを設けてスカート５２部を周方向で分断してある．この分断は必須ではないが，たとえばプラスチック成形品のアタッチメントの場合に基部５２の周方向の収縮を抑制するために設けることができる．
【００５５】  受け部５４は，基部５２の上端から斜め上方に向かって延びて，図８から分かるように，基部５２よりも外側に張り出している．平面視（図８（Ｂ））における受け部５４の外側輪郭は，ここでは，互いに角度αをなす２辺５０ａからなる．より詳しく述べると，実施例のアタッチメント５０は，平面視における外側輪郭が角度αを頂角とする直角二等辺三角形で，頂角と向かい合う底辺５０ｂは，二点鎖線で示すように，基部５２の円弧の中心Ｏを通る．したがって，実施例のアタッチメント５０は，ごみ箱１０に取り付けた状態で，ごみ箱１０の開口１２の約半分（約１８０度）にわたって存在することとなる．言い換えれば，２辺５０ａに対して，基部５２が，したがってまたごみ箱１０が，内接円（の一部）となるような関係にある．そして，受け部５４は，上記直角二等辺三角形から２辺５０ａの内接円の半分を除した領域を占めている．
【００５６】  角度αは，９０度に満たない，あるいは９０度を超えても，壁面との間に生じるすきまが，紙屑を丸めたようなごみが落下するのを防ぐことができる程度であればよい．部屋の隅（コーナー）は約９０度になっている場合が一般的であることから，受け部５４の輪郭を構成する辺５０ａがなす角度αは約９０度とするのが好ましいが，多少鋭角になったり鈍角になったりしていても，上記作用を実質的に奏し得る範囲であればよい．強いて具体例を挙げるならば９０度±１０度程度の範囲である．
底辺５０ｂも，図示するように１８０度すなわち一直線をなす必要はなく，１８０度未満あるいは１８０度を超えてもよい．底辺５０ｂが１８０度の場合であっても，必ずしも図示するように中心Ｏを通る必要はない．
【００５７】  実施例の場合，受け部５４は基部５２の上端から斜め上方に向かって延び，かつ，各辺５０ａに対応する受け部５４が平坦面であるため，その平坦面同士が会合する位置が結果的に谷線となる．ただし，この谷線は必須ではない．たとえば，製造方法にもよるが，受け部５４を曲面とすることにより，谷線５４ａが生じないようにすることもできる．
【００５８】  図９は，基部５２と受け部５４の境界部を例示したもので，基部５２に沿って円弧状に延びる円弧状の座面５４ｂの有無に関連する．座面５４ｂは基部５２に対して垂直で，ごみ箱に取り付けた状態では水平に延在する．したがって，ごみ箱１０にアタッチメント５０を取り付けたとき，座面５４ｂがごみ箱１０の開口１０の縁１４に着座して，アタッチメント５０が安定した姿勢を維持するのに役立つ．
【００５９】  まず，図９（Ａ）は，受け部５４が基部５２に対して垂直に，言い換えればごみ箱１０に取り付けた状態で水平に，延在する例である．この場合，受け部５４の下面が座面５４ｂを提供する．
【００６０】  図９（Ｂ）は，受け部５４が一旦基部５２に対して垂直に延び，その後斜め上方に向かって延びる例である．基部５２に対して垂直に延びる部分の下面が座面５４ｂを提供する．
【００６１】  図９（Ｃ）は，受け部５４が基部５２の上端から斜め上方に向かって延び，下面に水平な座面がない例である．この場合でも，ごみ箱に取り付けたとき受け部５４の下面がごみ箱１０の開口縁１４に当たってそれ以上の沈み込みを防ぐ．
【００６２】  図９（Ｄ）は，受け部５４が同様に基部５２の上端から斜め上方に向かって延びているが，下面に座面５４ｂが設けてある例である．
【００６３】  さらに，図９（Ｅ）に示すように，基部５２の外側に外壁５４ｃを設けてもよい．外壁５４ｃは，基部５２と同心円状の連続した壁でもよく，あるいは，互いに独立した複数の爪のような形態であってもよい．外壁５４ｃは，図３（Ｂ）及び５（Ａ）に関連してすでに述べた爪２４及び／又は背板２８と類似の作用を担う．すなわち，基部５２と外壁５４ｃとの間にごみ箱１０の壁を挟み込むことによりアタッチメント５０の姿勢が安定し，また，ごみ箱１０の外側に折り返したごみ袋の端を外側から押さえて止める役割を果たす．
【００６４】  図８（Ｂ）から分かるように，アタッチメント５０の直角二等辺三角形は２個の小三角形に分割することができる．したがって，着脱自在の２個の小三角形部分でアタッチメント５０を構成するようにしてもよい．着脱自在な接合手段としては，各種の継手，凹凸係合，面ファスナー，スライドファスナー，磁石又は磁気，その他の適当な手段を選択して採用することができる．
【００６５】  実施例では，受け部５４の外周に，辺５０ａに沿って，任意の高さで立ち上がった立壁５６が設けてある．立壁５６は，アタッチメント５０全体の補強として，また，後述する衝立５８の支持部としての役割を果たす．立壁５６の高さは任意である．上限については製造上可能な所望の範囲とし，下限についてはゼロすなわち立壁５８を省略することも可能である．立壁５６を省略した場合でも，たとえばごみ箱を部屋の隅に置いたとき，受け部５４の外周が壁面と接するか近接して，紙屑を丸めたようなごみが落下するほどのすきまを生じさせない．
【００６６】  受け部５４は基部５２よりも外側に張り出しているため，基部５２をごみ箱１０の開口１２の内側に配置したとき，受け部５６の下端縁がごみ箱１０の開口縁１４に当たり，それ以上の沈み込みを防ぐ（ストッパ機能）．このとき，基部５２の弾発力すなわち，円弧状の基部５２が拡径しようとする力を利用して，ごみ箱１０の内周に張り付かせる．円弧状の基部５２だけでは比較的容易に縮径（弾性変形）し得るところ，アタッチメント５０の周方向全長にわたって連続した受け部５４が存在することにより，基部５２の弾性変形を抑制することができる．もちろん，立壁５６を設けた場合にはさらにその補強効果が期待できる．基部５２を周方向で分断した場合でも，受け部５４が基部５２の縮径方向の弾性変形を抑制する作用を発揮するため，基部５２に拡径方向の力を適度に維持させ，ごみ箱１０の内周に添った姿勢を自己保持させることができる．
【００６７】  このように，基部５２の弾発力と上記ストッパ機能とが相まって，アタッチメント５０をごみ箱１０の開口１２に自己保持させることができる．もちろん，これに代えて，あるいは加えて，接着材，粘着剤，テープ，面ファスナー，凹凸係合，クリップその他の手段を採用することも可能である．なお，当該アタッチメント５０は，基部５２の拡縮（弾性変形）を利用するものであることから，標準サイズのごみ箱のみならず，多少のサイズ違いのごみ箱にも使用することができる．
【００６８】  アタッチメント５０をごみ箱１０に取り付けた状態で，受け部５４が基部５２の，したがってごみ箱１０の，平面視外形を越えて延在するため，次のような作用がある．すなわち，アタッチメント５０を取り付けた丸型のごみ箱１０を部屋の隅（コーナー）に置いたとき，ごみ箱１０と壁との間のすきまがなくなるか，少なくとも当該アタッチメント５０を使用しない場合に比べて格段に小さくなる．したがって，紙屑を丸めたようなごみを離れたところから放り投げても，ごみ箱１０の背後や横のすきまに落下してしまうといった不具合を極力防止することが可能となる．
【００６９】  また，アタッチメント５０を使用することにより，ごみ箱１０内にごみ袋を装着する場合，当該アタッチメント５０をごみ袋止めとして利用することができる．すなわち，ごみ袋の上部を折り返してごみ箱の開口部に被せ，そこにアタッチメントを取り付けることで，ごみ箱１０とアタッチメント５０の基部５２との間にごみ袋を挟み込んで固定することができる．そうすることにより，ごみ袋がごみ箱１０から外れたり，ごみ袋の端が落ち込んで口が閉じてしまったり，といった不具合を防止することができる．
【００７０】  約９０度の角部を隅角と呼ぶならば，上述の実施例では，いずれも，一つのアタッチメント５０は一つの隅角を有している．それに対して図１０に示す実施例は，一つのアタッチメント５０ＩＩが二つの隅角を有している．図１１から理解できるように，直角二等辺三角形のアタッチメント５０（図１１（Ａ））は４個の小三角形部分に分解することができ，そのうちの一つ，つまり同図中左端の小三角形部分を右端に移動させたものが，アタッチメント５０ＩＩ（図１１（Ｂ））に相当する．
【００７１】  図１０に示す形態で使用する場合，部屋の隅から離れた位置の壁際にごみ箱１０を置くとき，隅角と隅角を結ぶ長辺部分を壁面にぴったりと添わせることができるため，ごみ箱１０と壁との間のすきまがなくなる．同様に，ごみ箱１０を部屋の隅に置くときでも，一方の隅角を部屋の隅の壁面にぴったりと添わせて配置することができるため，ごみ箱１０と壁との間のすきまがなくなる．したがって，丸めた紙屑のようなごみを離れたところから放り投げてもごみ箱１０の周囲に散乱するといった事態を極力減らすことができる．
【００７２】  図１２に示すように，アタッチメント５０，５０ＩＩを２個一組で使用することもできる．図示するように２個のアタッチメント５０，５０ＩＩを互いに向かい合わせにした状態でごみ箱１０に取り付けると，２個のアタッチメント５０，５０ＩＩの全体としての輪郭は略正方形となる．そして，ごみ箱１０の開口１２のほぼ全周にわたってごみ袋を止めることができ，しかも，外からごみ袋の端が見えなくなるため美観もアップする．
【００７３】  ２個一組で使用する場合に限らないが，立壁５６及び／又は衝立５８を設けたアタッチメントの場合，それらを折り返すことができるようにしてもよい．たとえば，隅角部分で谷線（稜線）に沿って切り離し，かつ，隣り合う辺（面）どうしを接合／分離可能としておくことにより，各辺（面）部分をそれらが受け部５４と会合する谷線（稜線）に沿って外側に，たとえば約１８０度折り曲げる，すなわち折り返すことができる．接合／分離を可能にする手段としては，凹凸係合，スライドファスナー，面ファスナー，ジップロック（登録商標），磁石等を挙げることができる．このようにして折り返した部分は，ごみ箱１０の上部を覆い，はみ出したごみ袋の端を隠したり，あるいはそれ自体が一種の装飾効果を奏したり，といった作用が期待できる．また，立壁５６や衝立５８の上端縁形状を工夫することにより，折り返したときの外観に特徴をもたせることも可能である，たとえば，図８及び図１１に示すような直線状に代えて，曲線状や波線状その他の任意の形状を選択することもできる．
【００７４】  図６及び図７を参照してすでに述べたように，これらの実施例にあっても，アタッチメント５０，５０ＩＩの表面（前面／背面）を利用して種々の表示を行うことができる．たとえば，カレンダーや動植物，人物，キャラクター，建物，風景等々を表示することにより，ごみ箱自体はもちろんごみ箱を含めた周辺の美観の向上に寄与する．あるいは，標的を描いておき，それを目がけてごみを投げ入れるようにするといった使用方法も可能である．かかる効果は，受け部５４にその外周から立ち上がった立壁５６を設けたり，さらにその上に衝立５８を付加したりすることにより一層確実に達成することができる．
【００７５】  また，これらの実施例にあっても，図６及び図７を参照して述べたように，アタッチメント５０，５０ＩＩを多層構造として層間のすきまをポケットとすることができ，そうすることによってアタッチメント５０，５０ＩＩの利用分野が拡大する．
【００７６】  以上，この発明の実施の形態を説明したが，この発明は，ここに述べ，かつ，図示した実施の形態に限らず，特許請求の範囲を逸脱することなく種々の改変を加えて実施をすることができることは言うまでもない．
【符号の説明】
【００７７】  １０  ごみ箱
１２  開口（投入口）
１４  縁
１６，５０，５０ＩＩ  アタッチメント
１６ａ  前面側
１６ｂ  背面側
１８，５２  基部
１８ａ  小径部
１８ｂ  段差部
１８ｃ  大径部
１８ｄ  移行部
２０，５４  受け部
５６  立壁
５８  衝立
２４  爪
２６  凸部（凹凸係合部）
２８  背板
３０  凹部（凹凸係合部）
３２  ごみ袋
３４ａ，３４ｂ  ポケット
３６ａ，３６ｂ  壁面材
３８ａ，３８ｂ  開口
４０  波板
【図１】
2018062423.tif 000003
【図２】
2018062423.tif 000004
【図３】
2018062423.tif 000005
【図４】
2018062423.tif 000006
【図５】
2018062423.tif 000007
【図６】
2018062423.tif 000008
【図７】
2018062423.tif 000009
【図８】
2018062423.tif 000010
【図９】
2018062423.tif 000011
【図１０】
2018062423.tif 000012
【図１１】
2018062423.tif 000013
【図１２】
2018062423.tif 000014